(57)【要約】【課題】１つの露光ランプで、必要光量の異なるシステムに使用でき、かつ、無駄なエネルギーを消費しないようにしつつも、画質の劣化を解消する画像読取装置等を提供する。【解決手段】本発明の画像読取装置は、ランプ１３３と、前記ランプ１３３の点灯を制御するインバータ１３１と、前記ランプ１３３の点灯開始時からの点灯時間を、内蔵してあるタイマーを用いて検出する制御部１３５を有する画像読取装置において、前記点灯時間に基づいて、前記インバータ１３１に入力される制御信号の周波数を変更するスイッチ１３７を有し、当該周波数の変更によって前記ランプ１３３の光量を調節することを特徴とする。【選択図】図８
2007295389.tif 000002
【特許請求の範囲】
【請求項１】
露光手段と、
前記露光手段の点灯を制御する点灯制御手段と、
前記露光手段の点灯開始時からの点灯時間を検出する点灯時間検出手段を有する画像読取装置において、
前記点灯時間に基づいて、前記点灯制御手段に入力される制御信号の周波数を変更する周波数変更手段を有し、当該周波数の変更によって前記露光手段の光量を調節することを特徴とする画像読取装置。
【請求項２】
前記周波数変更手段は、前記露光手段の最大光量での点灯の立ち上がり時において、前記点灯時間に基づいて、前記制御信号の周波数を、当該最大光量での点灯に係る制御信号の周波数より小さくすることを特徴とする請求項１に記載の画像読取装置。
【請求項３】
前記周波数変更手段は、前記露光手段の最大光量での点灯の立ち上がり時において、前記点灯時間に基づいて、前記制御信号の周波数を、前記露光手段の光量が一定になるように変更することを特徴とする請求項１に記載の画像読取装置。
【請求項４】
前記周波数変更手段は、前記制御信号の周波数を多段階に設定して変更することを特徴とする請求項１から３の何れかに記載の画像読取装置。
【請求項５】
請求項１から４の何れかに記載の画像読取装置を有する画像形成装置。
【請求項６】
露光手段の点灯開始時からの点灯時間を検出する点灯時間検出工程と、
前記点灯時間に基づいて、前記点灯制御手段に入力される制御信号の周波数を変更する周波数変更工程と、
前記制御信号の周波数の変更によって前記露光手段の光量を調節する光量調節工程を有する画像読取装置の光量調節方法。
【請求項７】
コンピュータを、
露光手段と、
前記露光手段の点灯を制御する点灯制御手段と、
前記露光手段の点灯開始時からの点灯時間を検出する点灯時間検出手段として機能させる画像読取装置のプログラムにおいて、
前記点灯時間に基づいて、前記点灯制御手段に入力される制御信号の周波数を変更する周波数変更手段として機能させ、当該周波数の変更によって前記露光手段の光量を調節するように実行させることを特徴とするプログラム。
【請求項８】
請求項７に記載のプログラムを記録した記録媒体。
【発明の詳細な説明】
【技術分野】
【０００１】
本発明は、露光ランプの光量を調節する光学制御を行う画像読取装置等に関する発明である。
【背景技術】
【０００２】
従来の画像読取装置の照明装置は、装置システムの様々な読取速度、受光素子に対する必要光量に対し、各装置毎に固有照度の光源をカスタマイズで制作していた為に以下の問題点が生じた。まず、読取モード（モノクロ／カラー）で異なる読取速度に対応できず、光電素子飽和を防ぐ為、速度の遅い（一般的にはカラー）に合わせた光学設計を行い、読取速度の早いシステムでは必要光量不足が生じて、Ｓ／Ｎの劣化が懸念された。また、必要光量の異なる装置システムで同じ光源を使用することができず、部品種類数の膨大が進み、管理が難しくなった。
【０００３】
また、別の方法として、同じランプを使う場合は、メカシェーディング板を使用し、光量をカットして使用していたが、光電素子に対し過度な光を遮断するので、無駄なエネルギーを消費している。
【０００４】
また、ランプの温度特性により、低い光量で調整してあるランプを、高い光量で点灯させると、必要光量に対しオーバーシュートが大きくなり、また、オーバーシュートが治まって光量が安定するまで時間が掛かるという不具合がある。これにより、ランプ温度が一定になるまで照度が安定せず、１スキャン毎の濃度ムラとなり読み取り画像として問題となることがあった。
【０００５】
ランプの光量制御を行う技術は、例えば、特許文献１のようにライン周期とランプの点灯・消灯の周期を一定にする技術が開示されているが、光量調節の精度を上げる代わりに上記の濃度ムラの発生を招いてしまい、画質の劣化をもたらしてしまう。
【特許文献１】特開平７−７４８９０号公報
【発明の開示】
【発明が解決しようとする課題】
【０００６】
本発明は、上記事情を鑑みて、１つの露光ランプで、必要光量の異なるシステムに使用でき、かつ、無駄なエネルギーを消費しないようにしつつも、画質の劣化を解消する画像読取装置等を提供することを目的とする。
【課題を解決するための手段】
【０００７】
上記目的を果たす本発明の態様は、露光手段と、前記露光手段の点灯を制御する点灯制御手段と、前記露光手段の点灯開始時からの点灯時間を検出する点灯時間検出手段を有する画像読取装置において、前記点灯時間に基づいて、前記点灯制御手段に入力される制御信号の周波数を変更する周波数変更手段を有し、当該周波数の変更によって前記露光手段の光量を調節することを特徴とする画像読取装置に関するものである。
【０００８】
ここで、前記周波数変更手段は、前記露光手段の最大光量での点灯の立ち上がり時において、前記点灯時間に基づいて、前記制御信号の周波数を、当該最大光量での点灯に係る制御信号の周波数より小さくすることを特徴とする。また、前記露光手段の最大光量での点灯の立ち上がり時において、前記点灯時間に基づいて、前記制御信号の周波数を、前記露光手段の光量が一定になるように変更することを特徴とする。
【０００９】
そして、前記周波数変更手段は、前記制御信号の周波数を多段階に設定して変更することを特徴とする。
【００１０】
本発明の他の態様は、画像読取装置を有する画像形成装置に関するものである。
【００１１】
また、本発明の他の態様は、露光手段の点灯開始時からの点灯時間を検出する点灯時間検出工程と、前記点灯時間に基づいて、前記点灯制御手段に入力される制御信号の周波数を変更する周波数変更工程と、前記制御信号の周波数の変更によって前記露光手段の光量を調節する光量調節工程を有する画像読取装置の光量調節方法に関するものである。
【００１２】
また、本発明の他の態様は、コンピュータを、露光手段と、前記露光手段の点灯を制御する点灯制御手段と、前記露光手段の点灯開始時からの点灯時間を検出する点灯時間検出手段として機能させる画像読取装置のプログラムにおいて、前記点灯時間に基づいて、前記点灯制御手段に入力される制御信号の周波数を変更する周波数変更手段として機能させ、当該周波数の変更によって前記露光手段の光量を調節するように実行させることを特徴とするプログラムに関するものである。
【００１３】
また、本発明の他の態様は、上記プログラムを記録した記録媒体に関するものである。
【発明の効果】
【００１４】
本発明により、露光手段の点灯において、点灯制御手段に入力される制御信号の周波数を、点灯開始時からの点灯時間に基づいて変更することによって露光手段の光量を調節するので、１つの露光手段を使用して必要光量の異なるシステムに使用でき、かつ、無駄なエネルギーを消費しないようにできる。そして、このような仕様になっても、露光手段の光量が短時間で安定するように周波数を変更するので、画質の劣化の心配は無い。
【発明を実施するための最良の形態】
【００１５】
以下、本発明の画像読取装置等を実施するための最良の形態について説明する。説明する際には、本明細書と同時に提出する図面を適宜参照する。
【００１６】
図１は、本形態のカラー画像読取装置の全体の構成を図示したものである。まず、スキャナ本体の構成の説明を行う。
【００１７】
原稿台ガラス（８）上に置かれた原稿は、第１ミラー（３）と照明ランプ（２）により照射される。第１ミラー（３）と照明ランプ（２）は第１キャリッジ（３１）に搭載されており、原稿台下部を移動しながら走査を行う。原稿からの反射光は、第１ミラー（３）及び第２キャリッジ（３２）上の第２ミラー（５）、第３ミラー（４）で走査され、レンズ（１）により集束され、ＣＣＤ(Charge Coupled Device)が搭載されたＳＢＵ（１０）に照射されることにより電気信号に光電変換される。第１ミラー（３）、照明ランプ（２）及び第２ミラー（５）、第３ミラー（４）をそれぞれ搭載する第１、第２キャリッジ（３１、３２）は、走行体モータ（９）を駆動源として、キャリッジホーム位置から最大走査領域方向（図左右方向）に移動可能となっている。
【００１８】
次に、ＡＲＤＦ（自動両面原稿搬送装置）部に関しての構成の説明を行う。原稿台（１１）の原稿ガイド（１２）に沿って積載された原稿は、片面原稿読み取りを選択した場合には呼び出しコロ（１４）、給紙ベルト（１６）により搬送コロ（１５）、分離コロ（１７）、第１搬送ローラ（１８）によりＤＦ用原稿ガラス（６）と反射ガイド板（２０）との間の読取位置を経て、第２搬送ローラ（２１）及び排紙ローラ（２３）へ送り込まれ、原稿が排出される。ＤＦ用原稿ガラス（６）前にはレジストセンサー（１９）が配置されており、読取部への紙の進入（先端）や後端部のタイミングを検知できる。
【００１９】
一方、両面原稿読み取りを選択した場合には、まず原稿の表面の読み取りを上記、片面原稿読み取りを選択した場合と同様に実施する。原稿の表面の読み取りに関して説明を行う。呼び出しコロ（１４）給紙ベルト（１６）により搬送コロ（１５）、分離コロ（１７）、第１搬送ローラ（１８）によりＤＦ用原稿ガラス（６）と反射ガイド板（２０）との間の読取位置を経て、第２搬送ローラ（２１）及び排紙ローラ（２３）へ送り込まれ、原稿を排出せずに、分岐爪（２４）が下方へ切り換えられて反転ローラ（２５）により反転テーブル（２６）上へ移送される。原稿の後端が排紙ローラ（２３）を抜けた後に分岐爪（２４）が上方へ切り換えられて一旦、反転ローラ（２５）が停止する。
【００２０】
次に、原稿の裏面の読み取りに関して説明を行う。原稿の裏面の読み取りを実施するためには、一旦、停止していた反転ローラ（２５）を上記とは逆方向へ回転させることにより原稿が反転テーブル（２６）から第１搬送ローラ（１８）の方向へ搬送され、更に第１搬送ローラ（１８）を経て表面と同様にＤＦ用原稿ガラス（６）と反射ガイド板（２０）との間の読取位置を経て、第２搬送ローラ（２１）及び排紙ローラ（２３）へ送り込まれ、その後、原稿が排出される。
【００２１】
原稿は、表面、裏面の読み取り共にＤＦ用原稿ガラス（６）と反射ガイド板（２０）との間の読取位置を通過する際に、読取位置の近傍に停止されている照明ランプ（２）により照射され、その反射光は、第１ミラー（３）及び一体に構成された第２ミラー（５）、第３ミラー（４）で走査される。
【００２２】
以下、原稿台の場合と同様に光電変換される。ＡＲＤＦの呼び出しコロ（１４）、給紙ベルト（１６）、搬送コロ（１５）、分離コロ（１７）の給紙機構は給紙モータ（図示せず）により駆動されている。また、第１搬送ローラ（１８）、第２搬送ローラ（２１）、排紙ローラ（２３）、反転ローラ（２５）の搬送機構は搬送モータ（図示せず）により駆動されている。更に、ＡＲＤＦには原稿を検知するために原稿台（１１）へ原稿がセットされているか否かを検知するセットセンサ（１３）、原稿サイズを検知するための幅サイズ検知基板（２８）、原稿長さセンサ１（２９）と原稿長さセンサ２（３０）、原稿の後端を検知するための原稿後端センサ（２７）が搭載されている。スキャナ本体にはスキャナ本体及びＡＲＤＦを含めたカラー画像読取装置の動作制御を行うＳＣＵ（７）が搭載されている。
【００２３】
本形態のカラー画像読取装置の制御構成について説明する。図２、図３は、本形態のカラー画像読取装置の制御ブロックの構成を図示したものである。
【００２４】
ＳＢＵ（１０）上のＣＣＤ（１００）に入光した原稿の反射光は、ＣＣＤ（１００）内で光の強度に応じた電圧値を持つアナログ信号に変換され、奇数ビットと偶数ビットに分かれて出力される。
【００２５】
上記ＳＢＵ（１０）のアナログ画像信号は、ＶＩＯＢ（３３）上のアナログ処理回路（１０１）で暗電位部分が取り除かれ、奇数ビットと偶数ビットが合成され、所定の振幅にゲイン調整された後にＡ／Ｄコンバータ（１０２）に入力されデジタル信号化される。デジタル化された画像信号は、シェーディング部（１０３）によりシェーディング補正されＶＩＯＢ（３３）からＳＣＵ（７）上のＩＰＵ（１０４）で、ガンマ補正、ＭＴＦ補正等の画像処理が行なわれた後、同期信号画像クロックとともにビデオ信号として、画像データ記憶手段（ＳＤＲＡＭ（１０６））を管理するメモリコントローラ（１０５）に入力され、ＳＤＲＡＭ（１０６）で構成される画像メモリに蓄えられる。
【００２６】
画像メモリに蓄えられた画像データは、外部Ｉ／Ｆ（１０７）に送られ、パソコンやプリンタ等の出力装置へ転送される。この外部Ｉ／Ｆ（１０７）はＳＣＳＩ、ＩＥＥＥ１３９４、ＬＡＮ等のドライバやローカルＶｉｄｅｏ信号などを総称して記載している。ＳＣＵ（７）上には、各部の中央処理制御を行うＣＰＵ（１０８）、ＣＰＵ（１０８）が中央処理制御を行うときに読み出すプログラムを記録している記録媒体としてのＲＯＭ（１０９）、ＣＰＵ（１０８）が制御するデータを一時的に保存するＲＡＭ（１１０）、モータドライバ（１１２）が実装されており、ＣＰＵ（１０８）は、スキャナ本体のステッピングモータであるスキャナモーター（９）、ＡＲＤＦの給紙モーター（図示せず）、搬送モーター（図示せず）のタイミング制御も行なっている。
【００２７】
ＡＤＵ（４２）は、ＡＲＤＦ部に用いる電装部品の電力供給を中継する機能を有している。ＳＣＵ（７）上のＣＰＵ（１０８）に接続されている入力ポートは、ＶＩＯＢ（３３）を介して本体操作パネル：ＳＯＰ（４３）に接続されている。本体操作パネル：ＳＯＰ（４３）上にはスタートスイッチ（図示せず）と停止スイッチ（図示せず）が実装されている。それぞれのスイッチが押下されると入力ポートを介してＣＰＵ（１０８）はスイッチがＯＮされたことを検出する。
【００２８】
図４は、本形態のカラー画像読取装置に搭載されているインバータの構成について図示したものである。同期点灯の場合には、各ラインの読取開始タイミングを規定するライン同期信号（ＴＧ−ＩＮＶ（１４２））、クロック信号（ＣＬＫ（１４５））、コントロール信号（ＣＮＴ（１４３））及びゲート信号（ＧＡＴＥ（１４４））といった各種の制御信号を入力することにより制御部（１３５）は動作し、点灯信号を出力してインバータ回路（１３１）を制御する。インバータ回路（１３１）からの出力は昇圧トランス（１３２）を経由してランプ（１３３）に印加される。なおＣＮＴ（１４３）はランプ（１３３）のＯＮ／ＯＦＦ制御信号、ＧＡＴＥ（１４４）はランプ休止期間の制御信号である。
【００２９】
図５は、インバータ回路（１３１）の具体的な構成を一例として図示したものである。ＣＮＴ（１４３）がＨｉｇｈレベルの時、ＴＲ１がオンし、インバータ制御用ＩＣのＩＣ１に電力が供給される。ＩＣ１はスイッチング素子ＦＥＴ１を駆動するためのドライバを内蔵しており、ＣＬＫ（１４５）に応じて所定の周期で発振し、発振パルスにより内臓のドライバを駆動し、そのドライバの出力によりスイッチング素子ＦＥＴ１が駆動される。ドライバの出力に係る駆動信号によりスイッチング素子ＦＥＴ１がＯＮになると、定電圧電源（１３０）→昇圧トランス（１３２）の一次側巻線→スイッチング素子ＦＥＴ１の経路で電流が流れ、昇圧トランス（１３２）にエネルギーが蓄えられる。次に、スイッチング素子ＦＥＴ１がＯＦＦになると昇圧トランス（１３２）に流れていた電流が遮断され、蓄えられていたエネルギーが放出され、昇圧トランス（１３２）の一次側、二次側に急峻な立ち上がりを持つ電圧波形が発生する。この電圧波形は時間とともに減衰し、次にスイッチング素子ＦＥＴ１がオンになった後オフになると前記と同様に再び急峻な立ち上がりを持つ電圧波形が発生する。即ち、スイッチング素子ＦＥＴ１をオン／オフする毎に再び急峻な立ち上がりを持つ電圧波形が発生し、ランプ（１３３）に繰り返し電流が流れ、ランプ（１３３）が点灯し、光が放出される。またインバータ制御用のＩＣ１は、ＧＡＴＥ（１４４）が入力される期間は出力を停止する。
【００３０】
図６、図７は各種の制御信号のタイミングチャートである。図６は、ランプのＯＮ／ＯＦＦを制御する制御信号であるＣＮＴと、ライン同期信号であるＴＧ−ＩＮＶのタイミングを図示したものであり、ＣＮＴとは別に点灯周波数の位相同期をとる目的でＴＧ−ＩＮＶを供給する。なお、ＣＮＴの制御信号とＴＧ−ＩＮＶの制御信号は非同期で供給し、ＣＮＴの制御信号のＯＮ／ＯＦＦは任意の時間とする。
【００３１】
図７は、ＴＧ−ＩＮＶ、ＧＡＴＥ及びＣＬＫとインバータ出力（光波形）のタイミングを図示したものである。Ｔ１及びＴ２は休止期間であり、必要原稿面照度に応じてこの休止期間を設けることにより１ラインあたりの点灯パルス数を任意の値に設定することができる。また、ＧＡＴＥの制御信号を制御してランプ休止期間の終了タイミングを、そして、ＣＬＫの制御信号を制御してランプ点灯パルス発生タイミングを切り替えることにより主走査方向のランプ点灯パルス発生タイミングを任意に制御する。
【００３２】
制御信号の周波数の切り替え動作について説明する。図８は、本形態のカラー画像読取装置において、制御信号の周波数の切り替え動作に用いられる構成をブロック図として図示したものである。インバータ１３１、ランプ１３３、タイマーを内蔵した制御部１３５、時間比較部１３６、周波数を所定値に切り替えるスイッチ１３７を有して構成されている。また、図９には、図８の構成における制御信号の周波数の切り替え動作をフローチャートとして図示した。
【００３３】
制御部１３５からのランプ点灯信号により、ランプ１３３をインバータ周波数ｆ１で点灯して（Ｓ０１）、タイマーをスタートして時間計測開始する（Ｓ０２）。時間データは、時間比較部１３６に入力され（Ｓ０３）、入力された時間データは、予め設定してある目標時間と比較される（Ｓ０４）。目標値と時間データの取得値が等しくない場合は（Ｓ０４でＮＯ）、再度時間データを取得する（Ｓ０３）。目標値と時間データが等しくなった場合は（Ｓ０４でＹＥＳ）、スイッチ１３７によりインバータ１３１に入力されている周波数をｆ１→ｆ０へ変更してから（Ｓ０５）、コピー動作に入り（Ｓ０６）、コピー動作終了後ランプ１３３が消灯される（Ｓ０７）。
【００３４】
また、制御信号の周波数の切り替え動作は上記と別の方法で行うものがあり、その動作について説明する。図１０は、本形態のカラー画像読取装置において、制御信号の周波数の切り替え動作に用いられる構成をブロック図として図示したものである。インバータ１３１、ランプ１３３、タイマーを内蔵した制御部１３５、時間比較部１３６、周波数を所望の値に切り替える周波数切替部１３８を有して構成されている。また、図１１には、図１０の構成における制御信号の周波数の切り替え動作をフローチャートとして図示した。
【００３５】
制御部１３５からのランプ点灯信号により、ランプ１３３を点灯して（Ｓ０１）、タイマーをスタートして時間計測開始する（Ｓ０２）。時間データは、時間比較部１３６に入力され（Ｓ０３）、入力された時間データは、予め設定してある各時間ごとの目標時間と比較される（Ｓ０４）。目標値と時間データが等しくなった場合は（Ｓ０４でＹＥＳ）、周波数を切り替えるように、次段の周波数切替部１３８に送られる（Ｓ０５）。最終的な目標時間Ｔになるまで上記周波数切り替え動作が行われ（Ｓ０６）、最終時間Ｔが経過すると（Ｓ０６でＹＥＳ）、コピー動作に入り（Ｓ０７）、コピー動作終了後ランプが消灯される（Ｓ０８）。
【００３６】
周波数切替部１３８では、図１２のテーブルに示すように、予めＲＯＭ（１０９）に格納されたプログラムに基づき、周波数が決定される。点灯からの時間ごとに切り替える周波数は、
ｆ0＝ｆ1-ｆ2
（ｆ0：インバータ１３１への入力周波数、ｆ1：目標周波数、ｆ2：差分の周波数（図１２参照）
により決定する。
例えば、Ｔ＝５０ｍｓであると、テーブル内No.6の５０に対応する値、ｆ2＝−１０ＫＨｚを選択し、現在の点灯周波数がｆ0＝１００ＫＨｚである場合、目標周波数f1をｆ0＋f2＝９０ＫＨｚとし、点灯周波数を落とし減光する。
一方、Ｔ＝１００ｍｓであると、テーブル内No.11の１００に対応する値、ｆ2＝０ｋＨｚを選択し、現在の点灯周波数がｆ0＝１００ＫＨｚであると、目標周波数f1をｆ0＋f2＝１００ＫＨｚとし、点灯周波数は１００ｋＨｚで減光なしとなる。このような動作は、ランプ１３３を点灯する時に、行うものとする。
【００３７】
従来のランプでは、ランプ立ち上がり時には、図１３（ａ）に示すようにオーバーシュートが発生し、ランプ光量（ＣＣＤ出力）が一定になるまでに時間が掛かっていたが、図９のフローのように、点灯開始からの時間より、ランプの点灯周波数を点灯時の周波数ｆ１と、時間目標値と一致した後の周波数ｆ０に切り換えることで、図１３（ｂ）に示すように、立ち上がり時のオーバーシュートを無くし、従来よりも早くランプ光量（ＣＣＤ出力）を安定させることができる。また、図１１のフローのように、ランプの点灯周波数を所定期間毎に制御することで、図１３（ｃ）に示すように、立ち上がり時のオーバーシュートを無くし、従来よりも早くランプ光量（ＣＣＤ出力）を安定させることができる。また、周波数の変更については、高い周波数から低い周波数への変更でも良いし、低い周波数から高い周波数へ変更していっても良い。
【００３８】
本形態の画像読取装置を実施することにより以下の効果を奏する。即ち、まず、ランプ１３３点灯時のインバータ１３１に入力している制御信号の周波数を、ランプ１３３の点灯開始時からの点灯時間に基づいて、制御部１３５の周波数を変更し、ランプ１３３の光量を変更することで、ＣＣＤ出力を可変するので、同じランプ（インバータ含む）を使用して光量を可変できるようにすることができる。このことは、１つのランプを使用して必要光量の異なるシステムに使用でき、かつ、無駄なエネルギーを消費しないようにできることを意味する。そして、このような仕様になっても、ランプの光量が短時間で安定するように周波数を変更するので、画質の劣化の心配は無い。
【００３９】
また、ランプ１３３の最大光量での点灯の立上り時には、ランプ１３３の点灯開始時からの点灯時間に基づいて、制御部１３５からの制御信号の周波数を、最大光量での点灯の周波数より低くするように制御することで、ランプ１３３立ち上がり時のオーバーシュートを無くし、早く光量が安定するようにできる。
【００４０】
また、ランプ１３３の点灯の立ち上がり時のＣＣＤからのデータが一定の出力になるように、ランプ１３３の点灯開始時からの点灯時間に基づいて、点灯の周波数を変更することで、必要なＣＣＤ出力レベルが早く安定するようにできる。
【００４１】
また、ランプ１３３立ち上がり時の点灯の周波数の変更は、数段階分割して変更していくことで、よりスムーズな光量変更ができる。
【００４２】
また、実際の取引対象となる本形態の画像読取装置を搭載した画像形成装置は複写動作を迅速に行いつつも画像の劣化を引き起こす心配は無い。
【００４３】
なお、上述した形態は本発明の画像読取装置等を実施するための最良のものであるが、かかる実施形式に限定する趣旨ではない。従って、本発明の要旨を変更しない範囲内においてその実施形式を種々変形することが可能である。
【産業上の利用可能性】
【００４４】
本発明をＰＰＣ、ファクシミリ等の光学制御に適用することが可能である。
【図面の簡単な説明】
【００４５】
【図１】本形態のカラー画像読取装置の全体の構成を図示したものである。
【図２】本形態のカラー画像読取装置の制御ブロックの構成を図示したものである。
【図３】本形態のカラー画像読取装置の制御ブロックの構成を図示したものである。
【図４】本形態のカラー画像読取装置に搭載されているインバータの構成について図示したものである。
【図５】インバータ回路（１３１）の具体的な構成を一例として図示したものである。
【図６】ランプのＯＮ／ＯＦＦを制御する制御信号であるＣＮＴと、ライン同期信号であるＴＧ−ＩＮＶのタイミングを図示したタイミングチャートである。
【図７】ＴＧ−ＩＮＶ、ＧＡＴＥ及びＣＬＫとインバータ出力（光波形）のタイミングを図示したタイミングチャートである。
【図８】本形態のカラー画像読取装置において、制御信号の周波数の切り替え動作に用いられる構成をブロック図として図示したものである。
【図９】図８の構成における制御信号の周波数の切り替え動作をフローチャートとして図示したものである。
【図１０】本形態のカラー画像読取装置において、制御信号の周波数の切り替え動作に用いられる他の構成をブロック図として図示したものである。
【図１１】図１０の構成における制御信号の周波数の切り替え動作をフローチャートとして図示したものである。
【図１２】周波数の切り替えに関するＲＯＭ（１０９）に格納されたプログラムをテーブルとして図示したものである。
【図１３】ランプ光量と点灯開始からの時間との関係を表したグラフである。
【符号の説明】
【００４６】
１３１    インバータ
１３２    昇圧トランス
１３３    ランプ
１３５    制御部
１３６    時間比較部
１３７    スイッチ
１３８    周波数切替部
【図１】
2007295389.tif 000003
【図２】
2007295389.tif 000004
【図３】
2007295389.tif 000005
【図４】
2007295389.tif 000006
【図５】
2007295389.tif 000007
【図６】
2007295389.tif 000008
【図７】
2007295389.tif 000009
【図８】
2007295389.tif 000010
【図９】
2007295389.tif 000011
【図１０】
2007295389.tif 000012
【図１１】
2007295389.tif 000013
【図１２】
2007295389.tif 000014
【図１３】
2007295389.tif 000015